(57)【要約】【課題】複数モータ駆動テーブルの平行を維持した圧力制御による駆動を行うことができる数値制御装置を提供する。【解決手段】少なくとも第１のモータ及び第２のモータにより駆動されるテーブルを備えた駆動装置を制御する数値制御装置１００は、第１のモータ及び第２のモータそれぞれの位置を検出する状態検出部１１０、第１のモータ及び第２のモータそれぞれについて、圧力と位置との関係を示す補正ゲインを記憶する補正ゲイン記憶部１４０、第１のモータ及び第２のモータの位置にズレがある場合に、補正ゲインに基づいて補正圧力を算出し、補正圧力に基づいて第１のモータ及び第２のモータの圧力指令値を補正する補正指令部１２０を有することを特徴とする。【選択図】図１０
2018103201.tif 000002
【特許請求の範囲】
【請求項１】
少なくとも第１のモータ及び第２のモータにより駆動されるテーブルを備えた駆動装置を制御する数値制御装置であって、
前記第１のモータ及び前記第２のモータそれぞれの位置を検出する状態検出部と、
前記第１のモータ及び前記第２のモータそれぞれについて、圧力と位置との関係を示す補正ゲインを記憶する補正ゲイン記憶部と、
前記第１のモータ及び前記第２のモータの位置にズレがある場合に、前記補正ゲインに基づいて補正圧力を算出し、前記補正圧力に基づいて前記第１のモータ及び前記第２のモータの圧力指令値を補正する補正指令部と、を有することを特徴とする
数値制御装置。
【請求項２】
前記補正ゲインを算出する補正ゲイン算出部をさらに有することを特徴とする
請求項１記載の数値制御装置。
【請求項３】
前記補正指令部は、前記第１のモータの位置よりも前記第２のモータの位置のほうが駆動方向に進んでいる場合に、前記第１のモータの圧力指令値を増加させ、前記第２のモータの圧力指令値を減少させる補正を行うことを特徴とする
請求項１又は２記載の数値制御装置。
【請求項４】
前記補正指令部は、前記第１のモータの位置よりも前記第２のモータの位置のほうが駆動方向に進んでいる場合に、前記第１のモータの圧力指令値のみを増加させ、前記第２のモータの圧力指令値を維持する補正を行うことを特徴とする
請求項１又は２記載の数値制御装置。
【請求項５】
前記補正指令部は、前記第１のモータの位置よりも前記第２のモータの位置のほうが駆動方向に進んでいる場合に、前記第１のモータの圧力指令値を維持し、前記第２のモータの圧力指令値のみを減少させる補正を行うことを特徴とする
請求項１又は２記載の数値制御装置。
【発明の詳細な説明】
【技術分野】
【０００１】
本発明は数値制御装置に関し、特に複数モータ駆動テーブルの平行を維持して圧力制御で駆動を行う数値制御装置に関する。
【背景技術】
【０００２】
複数のモータでテーブルを駆動する駆動装置が知られている。例えば、近年のプレス加工装置等においては、ワークをプレスするのに十分な圧力を発生させるため、複数のモータでテーブルを駆動してプレスする方式が主流となってきている。図１に、このようなプレス加工装置の一例を示す。ボールねじにより連結された上テーブルと下テーブルとの間に上金型及び下金型が備えられ、金型の間にワークが配置される。上テーブルは、複数のモータ（ここでは第１のモータ及び第２のモータとする）によりＺ方向に駆動され、金型によってワークをプレスする。上テーブルの上に設置されたモータは、ベルトによりボールねじに連結されており、モータの駆動力とモータの自重とによりＺ方向の荷重を発生させる。
【０００３】
プレス加工装置をはじめとする駆動装置の制御方式として、位置制御と圧力制御とがある。位置制御は、テーブルの位置を検出し、位置をフィードバックすることでプレスを制御する。一方、圧力制御は、力センサによりテーブルにかかる外力を検出し、外力をフィードバックすることでプレスを制御する。図２に、これら２つの制御方式の特性を示す。図２左図に示すように、位置制御では、時間に対する位置の変位を指令することができるが、その間の圧力の変化を制御することができない。換言すれば、位置の再現性があるが、圧力の再現性にはバラツキがある。そのため、ワークにかかる圧力がオーバシュート、すなわち圧力がかかりすぎることがある。オーバシュートは、製造品の品質不良の原因となる。一方、図２右図に示すように、圧力制御では、時間に対する圧力の変化を指令することができるが、その間の位置の変化を制御することができない。換言すれば、圧力の再現性があるが、位置の再現性にはバラツキがある。圧力制御では、オーバシュートは発生しにくい。プレス加工はつまるところ外力による加工であるから、位置ではなく外力、つまり圧力を制御するほうが、製造品の品質は一定となる。つまり、一般に圧力制御のほうが製造品の品質が良い。
【０００４】
一方、圧力制御では位置による制御を行わないため、複数のモータでテーブルを駆動する場合、それぞれのモータ間で位置のズレが発生し、上テーブルが傾くことがあるという問題がある。位置制御を行っている場合であれば、複数のモータでテーブルを駆動する場合であっても平行を維持しつつテーブルを押し下げることができる。しかしながら、圧力制御の場合は、モータの位置は圧力に依存するため、均等にテーブルが駆動するとは限らず、結果として上テーブルが傾くことがあり得る。もし上テーブルと下テーブルとが平行でないと、製造品の加工不良率が上がったり、金型寿命を縮めてしまったりといった悪影響が生じる。図３に、圧力制御において上テーブルが傾いてしまう典型的なケースを示す。図３左図のようにワークの設置位置がテーブルの端によっている場合や、図３右図のようにワーク上面が水平でないなど傾きが生じやすいワーク形状である場合には、テーブルの平行が維持できない可能性が高くなる。
【０００５】
特許文献１には、移動金型と固定金型との間隔を測定する間隔センサをラム軸毎に設け、ラム軸に対する移動金型の傾斜を解消するようにサーボモータに位置指令を出して制御する装置が記載されている。特許文献２には、スライドの左右で荷重の差分を検出したときは、左右のサーボモータに位置指令を出して回転数を制御することでスライドの傾斜を解消する装置が記載されている。特許文献３には、複数のサーボ軸の位置偏差すなわち目標位置と位置フィードバック値との偏差を揃えるように位置指令を補正することによりテーブルの傾きを防止する装置が記載されている。
【先行技術文献】
【特許文献】
【０００６】
【特許文献１】特開２０１５−２０５４７４号公報
【特許文献２】特開２００９−２２６４５１号公報
【特許文献３】特開２００３−２３０９９６号公報
【発明の概要】
【発明が解決しようとする課題】
【０００７】
しかしながら、特許文献１乃至３記載の構成はいずれも位置制御を前提としており、圧力制御に適用できない。加えて、特許文献１の構成は、間隔センサを新たに設ける必要があるという問題がある。また、特許文献１及び２は、テーブルの傾きを解消するためのサーボモータに指令する移動量やゲインの算出方法を具体的に開示していない。
【０００８】
本発明は、このような問題点を解決するためになされたものであり、複数モータ駆動テーブルの平行を維持した圧力制御による駆動を行うことができる数値制御装置を提供することを目的とする。
【課題を解決するための手段】
【０００９】
本発明の一実施の形態にかかる数値制御装置は、少なくとも第１のモータ及び第２のモータにより駆動されるテーブルを備えた駆動装置を制御する数値制御装置であって、前記第１のモータ及び前記第２のモータそれぞれの位置を検出する状態検出部と、前記第１のモータ及び前記第２のモータそれぞれについて、圧力と位置との関係を示す補正ゲインを記憶する補正ゲイン記憶部と、前記第１のモータ及び前記第２のモータの位置にズレがある場合に、前記補正ゲインに基づいて補正圧力を算出し、前記補正圧力に基づいて前記第１のモータ及び前記第２のモータの圧力指令値を補正する補正指令部と、を有することを特徴とする。
【００１０】
他の実施の形態にかかる数値制御装置では、前記補正ゲインを算出する補正ゲイン算出部をさらに有することを特徴とする。
【００１１】
他の実施の形態にかかる数値制御装置では、前記補正指令部は、前記第１のモータの位置よりも前記第２のモータの位置のほうが駆動方向に進んでいる場合に、前記第１のモータの圧力指令値を増加させ、前記第２のモータの圧力指令値を減少させる補正を行うことを特徴とする。
【００１２】
他の実施の形態にかかる数値制御装置では、前記補正指令部は、前記第１のモータの位置よりも前記第２のモータの位置のほうが駆動方向に進んでいる場合に、前記第１のモータの圧力指令値のみを増加させ、前記第２のモータの圧力指令値を維持する補正を行うことを特徴とする。
【００１３】
他の実施の形態にかかる数値制御装置では、前記補正指令部は、前記第１のモータの位置よりも前記第２のモータの位置のほうが駆動方向に進んでいる場合に、前記第１のモータの圧力指令値を維持し、前記第２のモータの圧力指令値のみを減少させる補正を行うことを特徴とする。
【発明の効果】
【００１４】
本発明によれば、複数モータ駆動テーブルの平行を維持した圧力制御による駆動を行うことができる数値制御装置を提供することができる。
【図面の簡単な説明】
【００１５】
【図１】従来のプレス加工装置の一例を示す図である。
【図２】位置制御方式及び圧力制御方式を説明する図である。
【図３】従来のプレス加工装置の動作の一例を示す図である。
【図４】数値制御装置１００による傾き補正処理の一例を示す図である。
【図５】状態検出部１１０によるモータ位置の検出処理を示す図である。
【図６】補正ゲイン算出部１３０による補正ゲインの算出処理を示す図である。
【図７】補正指令部１２０による補正圧力の算出処理を示す図である。
【図８】数値制御装置１００の動作の一例を示す図である。
【図９】数値制御装置１００の動作の一例を示す図である。
【図１０】数値制御装置１００の構成を示すブロック図である。
【図１１】数値制御装置１００の動作を示すフローチャートである。
【発明を実施するための形態】
【００１６】
以下、本発明の実施の形態を図面と共に説明する。
図１０は、本発明の実施の形態にかかる数値制御装置１００の構成について説明する。数値制御装置１００は、公知の駆動装置を制御する装置であって、圧力指令値に従って第１のモータ及び第２のモータそれぞれを駆動し、上テーブルを上下すなわちＺ方向に移動させる。本実施の形態では、下向きすなわちＺ方向を正の駆動方向とする。数値制御装置１００は、状態検出部１１０、補正指令部１２０、補正ゲイン算出部１３０、補正ゲイン記憶部１４０を有する。数値制御装置１００は、典型的には中央処理装置（ＣＰＵ）、記憶装置及び入出力装置を備え、ＣＰＵが所定のプログラムを実行することにより状態検出部１１０及び補正指令部１２０、補正ゲイン算出部１３０、補正ゲイン記憶部１４０を論理的に実現する。
【００１７】
状態検出部１１０は、複数のモータの位置のズレを検出する処理を行う。圧力制御においても、モータにパルスコーダが内蔵されているため、モータの位置情報を取得することは可能である。状態検出部１１０は、複数のモータの座標値を随時又は一定時間毎に取得し、それらの差をとることでズレを検出する。
【００１８】
補正指令部１２０は、モータの圧力指令値を、テーブルの傾きを解消するよう補正する処理を行う。補正指令部１２０は、状態検出部１１０が検出したズレ量が所定のしきい値を超えた場合に上テーブルが傾いていると判断し、第１のモータ及び第２のモータの元々の圧力指令値を後述の補正ゲインで補正した新たな圧力指令値（補正圧力という）で各モータを駆動する。これにより、上テーブルの傾きを補正し上下テーブルの平行を回復する。具体的な補正圧力の算出方法は後述の実施例で説明する。
【００１９】
補正ゲイン算出部１３０は、補正指令部１２０が圧力指令値を補正する際の係数すなわち補正ゲインを算出する処理を行う。補正ゲイン算出部１３０は、座標値と圧力との相関関係に基づいて補正ゲインを算出する。換言すれば、補正ゲインとは、どれだけ圧力をかければどれだけ位置が変化するかを表す係数である。本実施の形態では、補正ゲイン算出部１３０は、補正指令部１２０が圧力指令値を補正する直前のモータの動きを基に補正ゲインを算出する。
【００２０】
補正ゲイン記憶部１４０は、補正ゲイン算出部１３０が算出した補正ゲインを記憶する。なお、補正ゲイン記憶部１４０は、補正ゲイン算出部１３０が算出した補正ゲインに代えて、図示しない入力手段等を介してマニュアル設定された補正ゲインを記憶していても良い。
【００２１】
図５及び図６を用いて、補正ゲイン算出部１３０による補正ゲインの算出方法について具体的に説明する。図５は、ある時点で状態検出部１１０が検出した第１のモータの座標値がＺＬ、第２のモータの座標値がＺＲであったことを示している。図６は、この座標値に至るまでの座標値と圧力との関係を示している。直線は第１のモータ、一点鎖線は第２のモータにおける座標値と圧力との関係をそれぞれ示す。図６に見られるように、座標値と圧力との関係はリニアでないことが多いが、本実施の形態では、補正ゲイン算出部１３０は、座標値ＺＬ，ＺＲの検出時の直前における座標値と圧力との関係を直線で近似し、当該直線により補正ゲインを求める。通常、修正しようとするズレが数ｍｍ程度の微小なものであれば、このような近似計算により求められた補正ゲインを使用しても実用上十分な補正を行うことができる。第１のモータの補正ゲインＧＬ及び第２のモータの補正ゲインＧＲ（単位：Ｎ／ｍｍ）は、以下の式により求められる。
ＧＬ＝（ΔＰＬ／ΔＺＬ）    ・・・（１）
ＧＲ＝（ΔＰＲ／ΔＺＲ）    ・・・（２）
ここで、ΔＰＬ及びΔＰＲは、座標値ＺＬ及びＺＲの検出直前における第１のモータ及び第２のモータの単位時間あたりの圧力変化、ΔＺＬ及びΔＺＲは、座標値ＺＬ及びＺＲの検出直前における第１のモータ及び第２のモータの単位時間あたりの位置変化である。
【００２２】
このように、数値制御装置１００は、あくまでも圧力制御を基本としつつ、通常は複数のモータを同じパワーで駆動するが、テーブルが平行でないことを検知した場合には、補正ゲインにより複数のモータのパワーバランスを調整してテーブルの傾きを解消する。
【００２３】
＜実施例１＞
図１１のフローチャート及び図４の表を用いて、数値制御装置１００の最も典型的な動作について説明する。
Ｓ１：各軸の座標値取得
状態検出部１１０は、一定時間毎に第１のモータ及び第２のモータの座標値を取得する。
好ましくは、状態検出部１１０は、第１のモータ及び第２のモータの座標値を取得するのと同時に、第１のモータ及び第２のモータに設けられた力センサから圧力値をそれぞれ取得する。そして、検出した第１のモータ及び第２のモータの座標値及び圧力値をそれぞれ直近２回分保存する。ここで保存した座標値及び圧力値はステップＳ５において使用される。なお、圧力値の検出及び保存は補正ゲイン算出部１３０が実施しても良い。
【００２４】
Ｓ２：傾き判定
状態検出部１１０は、各モータの座標値の差分を計算し、差分が予め定められた閾値を超える場合、補正指令部１２０にＳ２以降の処理を実施させる。一方、閾値以下であれば処理を終了する。
いま、図４に示すように、第１のモータのＺ方向の座標値が９８０ｍｍ、第２のモータのＺ方向の座標値が１０２０ｍｍであったとする。閾値を１ｍｍとすると、両モータの座標値の差分４０ｍｍは閾値を超えているため、Ｓ２以降の処理を実施する。
【００２５】
Ｓ３：平均位置を算出
補正指令部１２０は、第１のモータ及び第２のモータの座標値の平均を計算する。
図４の例では、平均位置は１０００ｍｍである。
【００２６】
Ｓ４：平均とのズレを算出
補正指令部１２０は、第１のモータ及び第２のモータの座標値と、Ｓ２で計算した平均位置との差分を計算する。
図４の例では、第１のモータにおける平均位置とのズレは上方向に２０ｍｍ（Ｚ軸方向に−２０ｍｍ）、第２のモータにおける平均位置とのズレは下方向に２０ｍｍ（Ｚ軸方向に＋２０ｍｍ）である。
【００２７】
Ｓ５：補正圧力を算出
補正ゲイン算出部１３０は、ステップＳ１で保存された直近２回分の第１のモータ及び第２のモータの座標値及び圧力値を用い、式（１）及び（２）に従って、第１のモータの補正ゲインＧＬ及び第２のモータの補正ゲインＧＲを算出する。
図４の例では、補正ゲインは１０である。
補正ゲイン記憶部１４０は、補正ゲイン算出部１３０が算出した補正ゲインＧＬ及びＧＲを記憶する。なお、補正ゲイン記憶部１４０が予め設定された補正ゲインを記憶している場合は、ステップＳ５は省略可能である。
【００２８】
補正指令部１２０は、補正ゲイン記憶部１４０が記憶した補正ゲインを用いて補正圧力を算出する。本実施例では、第１のモータと第２のモータとで補正圧力を同じにする。すなわち、Ｚ方向に進んでいるほうのモータ（図５では第２のモータ）の圧力をＰだけ弱め、遅れている方のモータ（図５では第１のモータ）の圧力をＰだけ高める。こうして、モータ間の圧力バランスを変化させながら、合計圧力は不変とする。
【００２９】
図７を用いて、本実施例における補正圧力の算出方法を説明する。ズレを補正するために必要な第１のモータの移動量は以下の式で求められる。
第１のモータの移動量＝ΔＺ×（ＧＲ÷（ＧＬ＋ＧＲ））
第１のモータの移動量を実現するために必要な補正圧力は、第１のモータの補正ゲイン×第１のモータの移動量により求められる。
第１のモータの補正圧力＝ΔＺ×（（ＧＬ×ＧＲ）÷（ＧＬ＋ＧＲ））
なお、第２のモータの補正圧力も同様に求められるから、
補正圧力＝ΔＺ×（（ＧＬ×ＧＲ）÷（ＧＬ＋ＧＲ））    ・・・（３）
である。
【００３０】
図４の例では、第１のモータの補正圧力は＋２００Ｎ、第２のモータの補正圧力は−２００Ｎである。
他の例を用いてさらに説明する。いま、第１のモータの座標値ＺＬが９８５ｍｍ、第２のモータの座標値ＺＲが１０１５ｍｍであるとする。また、第１のモータの補正ゲインＧＬが１０Ｎ／ｍｍ、第２のモータの補正ゲインＧＲが５Ｎ／ｍｍであるとする。このとき、補正圧力は式（３）により求められる。
補正圧力＝（１０１５−９８５）×（（１０×５）÷（１０＋５））＝１００Ｎ
【００３１】
Ｓ６：指令圧力を補正
補正指令部１２０は、圧力指令値を補正圧力で補正して、新たな圧力指令値（補正後圧力指令値という）を生成し、モータに補正後出力値を出力する。すなわち、Ｚ方向に進んでいるほうのモータの圧力指令値から補正圧力を減じ、遅れている方のモータの圧力指令値に補正圧力を加える。
図４の例では、第１のモータの補正後圧力指令値は１０００Ｎ＋２００Ｎ＝１２００Ｎ、第２のモータの補正後圧力指令値は１０００Ｎ−２００Ｎ＝８００Ｎである。
他の例についても説明する。いま、第１のモータの座標値ＺＬが９８５ｍｍ、第２のモータの座標値ＺＲが１０１５ｍｍ、第１のモータの圧力指令値及び第２のモータの圧力指令値がともに１０００Ｎであり、補正圧力が１００Ｎであるとする。このとき、第１のモータの補正後圧力指令値は１０００Ｎ＋１００Ｎ＝１１００Ｎ、第２のモータの補正後圧力指令値は１０００Ｎ−１００Ｎ＝９００Ｎである。
【００３２】
補正指令部１２０は、以上の処理が終了したならば再度ステップＳ２に遷移し、テーブルの傾きが解消されたか否か判定する。傾きが解消されていれば処理を終了し、以後一定時間毎に傾きチェックを継続する。傾きが解消されていなければ再度ステップＳ３以降の処理を実行し、さらに傾き補正を行う。このように、傾き補正処理を周期的又は連続的に繰り返すことにより、上テーブルの傾きが解消されて、速やかにテーブルの平行を回復できる。
【００３３】
本実施例によれば、補正指令部１２０が複数のモータの位置情報の差に基づいてテーブルの傾きを検知したならば、補正ゲイン算出部１３０が算出した補正ゲイン又は予め設定された補正ゲインを用いて、補正指令部１２０が複数のモータの補正圧力を算出する。このとき、複数のモータの補正圧力の絶対値は同じ値とする。これにより、テーブルの傾きを解消し、プレス加工装置をはじめとする駆動装置における加工不良率を低減できる。また、プレス加工等に用いる金型の寿命低減を抑制できる。また、テーブルの傾きに起因する駆動時の異常音や異常振動を抑制し、機械の寿命低減を抑制できる。
【００３４】
＜実施例２＞
実施例１では、補正指令部１２０は、第１のモータと第２のモータとの合計圧力が補正前後で同じになるような補正を行った。実施例２では、補正指令部１２０は、Ｚ方向に先に進んでいる方のモータの圧力指令値はそのまま変更せず、遅れている方のモータの圧力指令値を増加させる補正を行う。かかる補正手法は、例えばスプリングバック（ワークが荷重から開放された際に元の形状に戻ろうとする現象）が強い材料や、完全に塑性変形する材料に好適である。このような材料においては、実施例１のように圧力を減じる補正を行うと、ワークが変形したり跳ねたりすることがあるが、本実施例によればかかる現象を抑制できる。
【００３５】
図８を用いて、本実施例における数値制御装置１００の動作を説明する。いま、図８左図のように、第２のモータがＺ方向に先に進んでおり、第１のモータが遅れているものとする。第１のモータ及び第２の元の圧力指令値が１０００Ｎであったとすると、本実施例の補正指令部１２０は、遅れている第１のモータの補正後圧力指令値のみを例えば１２００Ｎに増加させる。ここで、補正ゲイン及び補正圧力は実施例１と同様に計算して良いが、補正指令部１２０は、全てのモータの補正圧力の絶対値を合計し、この合計値を第１のモータに対する補正圧力とすることができる。あるいは、補正指令部１２０は、第１のモータについてのみ補正後圧力指令値を出力することとしても良い。
【００３６】
＜実施例３＞
実施例３では、補正指令部１２０は、Ｚ方向に先に進んでいる方のモータの圧力指令値を減じ、遅れている方のモータの圧力指令値はそのまま維持する補正を行う。かかる補正手法は、例えば強い荷重による加工不良を生じやすいデリケートな材料に好適である。
【００３７】
図９を用いて、本実施例における数値制御装置１００の動作を説明する。いま、図９左図のように、第２のモータがＺ方向に先に進んでおり、第１のモータが遅れているものとする。第１のモータ及び第２の元の圧力指令値が１０００Ｎであったとすると、本実施例の補正指令部１２０は、第２のモータの補正後圧力指令値のみを例えば８００Ｎに減少させる。ここで、補正ゲイン及び補正圧力は実施例１と同様に計算して良いが、補正指令部１２０は、全てのモータの補正圧力の絶対値を合計し、この合計値を第２のモータに対する補正圧力とすることができる。あるいは、の補正指令部１２０は、第２のモータについてのみ補正後圧力指令値を出力することとしても良い。
【００３８】
なお、本発明は上記実施の形態に限られたものではなく、趣旨を逸脱しない範囲で適宜変更することが可能である。本発明はその発明の範囲内において、実施の形態の任意の構成要素の変形、もしくは実施の形態の任意の構成要素の省略が可能である。例えば、上述の実施の形態ではモータの数が２つである場合について主に説明したが、モータの数が３以上の場合にも本発明は適用可能である。すなわち、それぞれのモータについて平均位置とのズレを算出し、当該ズレに基づいて補正ゲイン及び補正圧力を算出することで、３つ以上のモータを有する駆動装置においても傾きを解消することができる。
【００３９】
また、上述の実施例においては、補正指令部１２０は複数のモータの補正圧力を同じとするか、一方を０とするかであったが、複数のモータに補正圧力を傾斜的に分配しても良い。例えば、第１のモータがＺ方向に進んでいる場合に、第１のモータの圧力指令値を減少させるための補正圧力の絶対値は、第２のモータの補正圧力を増加させるための補正圧力の絶対値よりも、小さな値であっても良い。この場合、実施例２及び３で説明した実施例１の問題点を抑制しつつ、実施例２及び３よりも短時間でテーブルの傾きを解消することができる。
【符号の説明】
【００４０】
１００  数値制御装置
１１０  状態検出部
１２０  補正指令部
１３０  補正ゲイン算出部
１４０  補正ゲイン記憶部
【図１】
2018103201.tif 000003
【図２】
2018103201.tif 000004
【図３】
2018103201.tif 000005
【図４】
2018103201.tif 000006
【図５】
2018103201.tif 000007
【図６】
2018103201.tif 000008
【図７】
2018103201.tif 000009
【図８】
2018103201.tif 000010
【図９】
2018103201.tif 000011
【図１０】
2018103201.tif 000012
【図１１】
2018103201.tif 000013